(57)【要約】【課題】画面の表示位置及び表示サイズを制御できるテレビ受信機を提供する。【解決手段】図４（ａ）のＰとＱが離れた位置からＱが表示パネル１０９と反対の方向に移動すると、画面（ア）と画面（イ）は同じ番組Ａの画面であるが１つの画面にするとＰとＱの双方が見易くならないので、画面（イ）をＱが見易い画面（オ）に拡大する。図４（ｂ）のＰとＱが近い位置からＱが表示パネル１０９と反対の方向に移動すると、画面（ア）と画面（イ）は同じ番組Ａの画面であるので１つの画面にするとＰとＱの双方が見易くなるので画面（ア）と画面（イ）を１つにした番組Ａの画面（カ）とする。図４（ｃ）のＰとＱが近い位置からＱが表示パネル１０９と反対の方向に移動すると、画面（ア）は番組Ａ、画面（エ）は番組Ｂで異なる番組の異なる画面であり１つの大画面とすることができないのでＱが視聴し易いサイズの画面（キ）にＰが視聴し易いサイズの画面（ア）を重ねる。【選択図】図４
2014068193.tif 000002
【特許請求の範囲】
【請求項１】
複数の画面が表示パネルに表示可能なテレビ受信機において、
前記画面を視聴している視聴者の顔映像を入力し、前記顔映像から視聴者の人数の情報である視聴者数情報、視聴者の視線の情報である視線情報、表示パネルの水平方向における視聴者の位置の情報である位置情報、及び視聴者と前記表示パネルとの間の距離の情報である距離情報を取得する視聴者映像認識手段と、
前記視聴者数情報、前記視線情報、前記位置情報、及び前記距離情報に基づいて画面の表示位置と表示サイズを制御する画面表示制御手段と
を備えることを特徴とするテレビ受信機。
【請求項２】
画面表示制御手段は、前記位置情報と前記距離情報に基づいて前記視聴者が視聴している画面の表示位置と表示サイズを変更することを特徴とする請求項１に記載のテレビ受信機。
【請求項３】
画面表示制御手段は、前記視聴者数情報により前記視聴者が複数であり、前記位置情報により同じ番組を視聴している複数の前記視聴者同士が近づき、前記距離情報により前記視聴者同士の前記表示パネルからの距離が異なると判定したときには、前記視聴者が視聴している同じ番組の画面を１つの拡大された画面で表示することを特徴とする請求項２に記載のテレビ受信機。
【請求項４】
画面表示制御手段は、前記視聴者数情報により前記視聴者が複数であり、前記位置情報により異なる番組を視聴している複数の前記視聴者同士が近づき、前記距離情報により前記視聴者同士の前記表示パネルからの距離が異なると判定したときには、前記視聴者が視聴している画面を重ねて表示することを特徴とする請求項２に記載のテレビ受信機。
【請求項５】
複数の画面が表示パネルに表示可能なテレビ受信機において、
前記画面を視聴している視聴者の顔映像を入力し、前記顔映像から視聴者の人数の情報である視聴者数情報、視聴者の視線の情報である視線情報、表示パネルの水平方向における視聴者の位置の情報である位置情報、及び視聴者と前記表示パネルとの間の距離の情報である距離情報を取得する視聴者映像認識工程と、
前記視聴者数情報、前記視線情報、前記位置情報、及び前記距離情報に基づいて画面の表示位置と表示サイズを制御する画面表示制御工程と
を備えることを特徴とするテレビ受信機の画面表示方法。
【発明の詳細な説明】
【技術分野】
【０００１】
本発明は、複数の画面が表示可能なテレビ受信機に係り、特に複数の視聴者が視聴する複数の画面を制御するテレビ受信機、及びテレビ受信機の画面表示方法に関する。
【背景技術】
【０００２】
テレビ受信機において、表示パネル全体に画面を表示して複数の視聴者が視聴するときには、視聴者自身が画面の見易い位置に移動することで、複数の視聴者が同時に画面を視聴することができる。しかし、近年、テレビ受信機の表示パネルに複数の画面が表示可能となった。これにより、複数の視聴者が異なる位置から同じ番組または異なる番組を視聴するときには、各々の視聴者はリモートコントローラなどからの操作により自分が視聴したい番組の画面を表示パネルの自分が見易い位置に表示し、表示サイズの調整も行っていた。また、自分自身が位置を移動したときにも、視聴者はリモートコントローラなどからの操作により自分が視聴したい番組の画面を表示パネルの自分が見易い位置に表示し、表示サイズの調整も行っていた。このように、視聴者自身で画面の表示位置や表示サイズの調整を行わなければならない。この対策として、視聴者の位置をテレビ受信機が検出し、視聴者が視聴している番組の画面を表示パネルの視聴者が視聴し易い位置に表示するテレビ受信機が用いられるようになった。
【０００３】
複数の視聴者の位置に基づき複数の画面を表示する技術として特開２００１−９４９００号公報（特許文献１）を挙げることができる。特許文献１に開示の技術では、複数の視聴者が異なる画面を視聴しているときに、視聴者同士の位置に応じてその視聴者が視聴している画面の表示位置を変更することで、視聴人数が増えた場合また視聴者の位置が変化した場合でも、視聴者同士が見易い位置に画面を表示することができる画像表示方法が記載されている。
【先行技術文献】
【特許文献】
【０００４】
【特許文献１】特開２００１−９４９００号公報
【発明の概要】
【発明が解決しようとする課題】
【０００５】
特許文献１に開示の技術では、視聴者同士の位置に応じてその視聴者が視聴している画面の表示位置を変更するだけであるので、視聴者が視聴しているディスプレイとの距離によって、画面を拡大したり縮小したりして表示することができない。また、ディスプレイの近くにいる視聴者、または遠くにいる視聴者が視聴している画面の表示サイズについては変更することができないので、近くにいる視聴者と遠くにいる視聴者の両方が見易い表示位置及び表示サイズの画面を表示することができないという問題があった。
【０００６】
本発明はこのような状況に鑑みてなされたものであり、上記課題を解決できる表示装置を提供することを目的とする。
【課題を解決するための手段】
【０００７】
本発明のテレビ受信機は、複数の画面が表示パネルに表示可能なテレビ受信機において、前記画面を視聴している視聴者の顔映像を入力し、前記顔映像から視聴者の人数の情報である視聴者数情報、視聴者の視線の情報である視線情報、表示パネルの水平方向における視聴者の位置の情報である位置情報、及び視聴者と前記表示パネルとの間の距離の情報である距離情報を取得する視聴者映像認識手段と、前記視聴者数情報、前記視線情報、前記位置情報、及び前記距離情報に基づいて画面の表示位置と表示サイズを制御する画面表示制御手段とを備えることを特徴としている。
また、本発明のテレビ受信機の画面表示制御手段は、前記位置情報と前記距離情報に基づいて前記視聴者が視聴している画面の表示位置と表示サイズを変更することを特徴としている。
また、本発明のテレビ受信機の画面表示制御手段は、前記視聴者数情報により前記視聴者が複数であり、前記位置情報により同じ番組を視聴している複数の前記視聴者同士が近づき、前記距離情報により前記視聴者同士の前記表示パネルからの距離が異なると判定したときには、前記視聴者が視聴している同じ番組の画面を１つの拡大された画面で表示することを特徴としている。
また、本発明のテレビ受信機の画面表示制御手段は、前記視聴者数情報により前記視聴者が複数であり、前記位置情報により異なる番組を視聴している複数の前記視聴者同士が近づき、前記距離情報により前記視聴者同士の前記表示パネルからの距離が異なると判定したときには、前記視聴者が視聴している画面を重ねて表示することを特徴としている。
また、本発明のテレビ受信機の前記画面表示制御手段は、前記視線情報により前記視聴者が視聴している画面を検出することを特徴としている。
本発明のテレビ受信機の画面表示方法は、複数の画面が表示パネルに表示可能なテレビ受信機において、前記画面を視聴している視聴者の顔映像を入力し、前記顔映像から視聴者の人数の情報である視聴者数情報、視聴者の視線の情報である視線情報、表示パネルの水平方向における視聴者の位置の情報である位置情報、及び視聴者と前記表示パネルとの間の距離の情報である距離情報を取得する視聴者映像認識工程と、前記視聴者数情報、前記視線情報、前記位置情報、及び前記距離情報に基づいて画面の表示位置と表示サイズを制御する画面表示制御工程とを備えることを特徴としている。
【発明の効果】
【０００８】
本発明により、複数の画面が表示可能なテレビ受信機において、視認者同士の距離、及び視認者とテレビ受信機の表示パネルとの距離に応じて画面の表示位置及び表示サイズを制御することで、視聴者の位置及び視聴者が表示パネルから近い位置や離れた位置に混在していても、全ての視聴者にとって最も視聴し易い表示位置と表示サイズで画面を表示パネルに表示できるテレビ受信機、及びテレビ受信機の画面表示方法を提供できる。
【図面の簡単な説明】
【０００９】
【図１】本発明の実施形態に係るテレビ受信機の機能構成を示す図である。
【図２】本発明の実施形態に係る画面表示制御処理のフローチャートである。
【図３】本発明の実施形態に係る二人の視聴者が表示パネルからの距離がほぼ同じ場合において、二人の視聴者間の距離により画面の表示位置と表示サイズを決定する手順を示す図である。
【図４】本発明の実施形態に係る二人の視聴者間の距離が離れている場合において、二人の視聴者の表示パネルからの距離により画面の表示位置と表示サイズを決定する手順を示す図である。
【発明を実施するための形態】
【００１０】
以下、本発明を実施するための形態（以下、「実施形態」という）について図面を参照して説明する。本発明は、テレビ受信機に内蔵される視聴者撮影カメラにより各々の視聴者の顔画像を撮影し、撮影された顔画像により視聴者の瞳孔の位置、角膜の反射点の位置などをもとに、視聴者毎の視線の方向、視聴者の位置、及び視聴者と表示パネルとの距離を検出する。そして、視聴者毎の視線の方向に基づいて、視聴者が視聴している画面とその画面を視聴している視聴者の人数を検出する。これらの検出された視聴者の人数、視聴者の位置、及び視聴者と表示パネルとの距離に基づいて、テレビ受信機が画面の表示位置と表示サイズを制御するものである。
【００１１】
次に、テレビ受信機１００の機能構成について、図１を用いて説明する。図１に示すように、テレビ受信機１００は、デジタルチューナ１０１、ＴＳ（トランスポートストリーム）デコーダ１０２、音声処理部１０３、音声出力処理部１０４、スピーカー１０５、映像処理部１０６、ＯＳＤ処理部１０７、表示処理部１０８、表示パネル１０９、リモコン受光部１１０、通信制御Ｉ／Ｆ部１１１、制御部１１２、記憶部１１３、視聴者撮影カメラ１１４、視聴者映像認識部１１５、及びシステムバス１１６から構成されている。また、制御部１１２には画面表示制御処理部１１２ａが設けられている。
【００１２】
デジタルチューナ１０１には、デジタル放送電波を受信するアンテナ１２０が接続され、デジタルチューナ１０１は、このアンテナ１２０からデジタル放送電波を入力し、これらの放送電波をトランスポートストリームパケット（ＴＳパケット）に復調し、ＴＳデコーダ１０２に出力する。ＴＳデコーダ１０２は、このＴＳパケットから所望の番組放送の映像音声ストリームを抽出する。抽出された所望の番組放送の映像音声ストリームは、ＭＰＥＧ−２によって符号化されているデジタルデータである。
【００１３】
音声処理部１０３は、符号化された映像音声ストリームから音声データを復号し、復号した音声データを音声出力処理部１０４に出力する。音声出力処理部１０４は、音声処理部１０３から出力される音声データを入力するとスピーカー１０５が処理可能な音声信号に変換しスピーカー１０５に出力する。スピーカー１０５は、音声出力処理部１０４から音声信号を入力し、音声を出力する。
【００１４】
映像処理部１０６は符号化された映像音声ストリームから映像データを復号し、復号した映像データを表示処理部１０８に出力する。ＯＳＤ処理部１０７は、制御部１１２から出力されるメッセージなどの映像データをＯＳＤ信号として表示処理部１０８に出力する。表示処理部１０８は、映像処理部１０６からの映像データとＯＳＤ処理部１０７からのＯＳＤ信号を重ね合せて表示パネル１０９が処理可能な映像信号に変換する。また、表示処理部１０８は、制御部１１２の画面表示制御処理部１１２ａから出力される画面毎の表示位置、及び表示サイズを入力すると画面毎の表示位置と表示サイズを映像信号に設定し、映像信号を表示パネル１０９に出力する。制御部１１２の画面表示制御処理部１１２ａが実行する画面表示制御処理については、後述する。表示パネル１０９は、表示処理部１０８から映像信号を入力すると、映像信号に設定されている画面毎の表示位置と表示サイズに基づいて画面毎の映像を表示する。
【００１５】
リモコン受光部１１０は、リモコン１３０に設けられた操作ボタンをユーザーが操作することでリモコン１３０から送信される赤外線による操作信号を受光する。通信制御Ｉ／Ｆ部１１１は、テレビ受信機１００が電話回線やＬＡＮ（Local Area Network）などにより通信を行うための信号を送受信するインターフェース部である。制御部１１２は、テレビ受信機１００全体を制御する。制御部１１２は、リモコン受光部１１０から入力するユーザーの操作信号に基づき放送チャンネルやデータ放送の切り替え、出力する音声の音量の制御を行う。制御部１１２の画面表示制御処理部１１２ａが実行する画面表示制御処理については、後述する。記憶部１１３は、テレビ受信器１００の基本機能を実現するためのプログラム、制御部１１２が実行するプログラム、及びプログラムで用いられるデータなどを記憶する。
【００１６】
視聴者撮影カメラ１１４は、テレビ受信機１００に内蔵されているカメラであり、テレビ受信機１００に電源が投入されると、常に表示パネル１０９の画面を視聴している視聴者の顔の映像（以下、「顔映像」という）を撮影し、撮影した顔映像を視聴者映像認識部１１５に出力する。視聴者映像認識部１１５は、視聴者撮影カメラ１１４が撮影した視聴者の顔映像を入力すると、視聴者の人数の情報（以下、「視聴者数情報」という）、視聴者の視線の情報（以下、「視線情報」という）、表示パネルの水平方向における視聴者の位置の情報（以下、「位置情報」という）、及び視聴者と表示パネル１０９との間の距離の情報（以下、「距離情報」という）を取得し、この視聴者数情報、視線情報、位置情報、及び距離情報を制御部１１２の画面表示制御処理部１１２ａに出力する。以上の各部１０１〜１１５はシステムバス１１６により接続されている。
【００１７】
次に、本発明の実施形態における、制御部１１２の画面表示制御処理部１１２ａが実行する画面表示制御処理について説明する。図２に画面表示制御処理のフローチャートを示す。テレビ受信機１００が起動されると、制御部１１２の画面表示制御処理部１１２ａにより画面表示制御処理が実行される。以下、図２に示す画面表示制御処理のフローチャートに示すステップ順に説明する。
【００１８】
〈画面表示制御処理〉
（ステップＳ１０１）
まず、画面表示制御処理部１１２ａは、視聴者映像認識部１１５から視聴者数情報、視線情報、位置情報、及び距離情報を入力する。
【００１９】
（ステップＳ１０２）
次いで、画面表示制御処理部１１２ａは、視聴者数情報により視聴者が一人であるかを判定する。視聴者が一人であるとき（ステップＳ１０２のＹｅｓ）は、ステップＳ１０３に進む。視聴者が一人でなく複数であるとき（ステップＳ１０２のＮｏ）は、ステップＳ１０５に進む。
【００２０】
（ステップＳ１０３）
ステップＳ１０２のＹｅｓにおいて、画面表示制御処理部１１２ａは、視線情報により視聴者が視聴している画面を検出する。
【００２１】
（ステップＳ１０４）
次いで、画面表示制御処理部１１２ａは、ステップＳ１０３で検出した視聴者が一人で視聴している画面について、位置情報と距離情報に基づいて表示位置と表示サイズを決定する。
【００２２】
（ステップＳ１０５）
ステップＳ１０２のＮｏにおいて、画面表示制御処理部１１２ａは、視線情報により複数の視聴者が視聴している各々の画面を検出する。
【００２３】
（ステップＳ１０６）
次いで、画面表示制御処理部１１２ａは、位置情報により視聴者同士が離れた位置にいる（予め決められた距離の範囲の外にいる）かを判定する。視聴者同士が離れた位置にいるとき（ステップＳ１０６のＹｅｓ）は、ステップＳ１０７に進む。視聴者同士が離れた位置でなく近くにいるとき（ステップＳ１０６のＮｏ）は、ステップＳ１０８に進む。
【００２４】
（ステップＳ１０７）
ステップＳ１０６のＹｅｓにおいて、画面表示制御処理部１１２ａは、ステップＳ１０５で検出した複数の視聴者が視聴している各々の画面について、位置情報と距離情報に基づいて表示位置と表示サイズを決定する。
【００２５】
（ステップＳ１０８）
ステップＳ１０６のＮｏにおいて、画面表示制御処理部１１２ａは、視線情報及び表示処理部１０８から入力する映像信号により、視聴者同士が近くで同じ番組を異なる画面で視聴しているかを判定する。視聴者同士が近くで同じ番組を異なる画面で視聴しているとき（ステップＳ１０８のＹｅｓ）は、ステップＳ１０９に進む。視聴者同士が近くで異なる番組を異なる画面で視聴しているとき（ステップＳ１０８のＮｏ）は、ステップＳ１１０に進む。
【００２６】
（ステップＳ１０９）
ステップＳ１０８のＹｅｓにおいて、画面表示制御処理部１１２ａは、ステップＳ１０５で検出した複数の視聴者が視聴している同じ番組の画面を合体させた画面について、位置情報と距離情報に基づいて表示位置と表示サイズを決定する。
【００２７】
（ステップＳ１１０）
ステップＳ１０８のＮｏにおいて、画面表示制御処理部１１２ａは、ステップＳ１０５で検出した視聴者毎に視聴者が視聴している異なる番組の異なる画面について、位置情報と距離情報に基づいて表示位置と表示サイズを算出する。
【００２８】
（ステップＳ１１１）
次いで、画面表示制御処理部１１２ａは、画面の表示位置及び表示サイズを表示処理部１０８に出力し、画面表示制御処理を終了する。
【００２９】
このような本発明の実施形態のテレビ受信機１００を二人の視聴者が視聴している場合における、表示パネル１０９に表示される画面の表示位置と表示サイズを決定する手順を、図３と図４を用いて説明する。図３は、二人の視聴者が表示パネル１０９からの距離がほぼ同じ場合において、二人の視聴者間の距離により表示パネル１０９に表示される画面の表示位置と表示サイズを決定する手順を示す。図４は、二人の視聴者間の距離が離れている場合において、二人の視聴者のいずれかが表示パネル１０９から遠くに移動した場合に表示パネル１０９に表示される画面の表示位置と表示サイズを決定する手順である。
【００３０】
まず、図３に示す二人の視聴者が表示パネル１０９からの距離がほぼ同じの場合において、二人の視聴者間の距離に基づいて表示パネル１０９に表示される画面の表示位置と表示サイズを決定する手順について説明する。
図３（ａ）の（１）は、ＰとＱ同士が離れた位置から、Ｐは番組Ａの画面（ア）を視聴し、Ｑは番組Ａの画面（イ）を視聴している。この状態からＱがＰの方向に少し移動すると、Ｐの見易い視野角範囲とＱの見易い視野角範囲とが重ならない。つまり、画面（ア）と画面（イ）は同じ番組Ａの画面であるが、１つの画面にするとＰとＱは離れて位置しているので双方にとって画面が見易くならない。従って、このようなときには図３（ａ）の（２）に示すように番組Ａの画面（イ）をＱの位置に合わせて移動させる。
図３（ｂ）の（１）は、ＰとＱ同士が離れた位置から、Ｐは番組Ａの画面（ア）を視聴し、Ｑは番組Ａの画面（イ）を視聴している。この状態からＱがＰに接近するように移動すると、Ｐの見易い視野角範囲とＱの見易い視野角範囲とが重なる。つまり、画面（ア）と画面（イ）は同じ番組Ａの画面であるので１つの大画面（ウ）で表示するとＰとＱの双方が画面を見易くなる。従って、このようなときには図３（ｂ）の（２）に示すように番組Ａの拡大画面（ウ）をＰとＱの位置に合わせて表示させる。ところで、ＰとＱが表示パネル１０９に対し垂直に向かって画面（ア）、（イ）を見たとき、Ｐ、Ｑそれぞれについて見易い視野角の範囲がある。本実施形態において、Ｐ、Ｑ同士が離れた位置とは、ＰあるいはＱのそれぞれの見易い視野角内に他の視聴者の画面（ア）又は（イ）が入り込まない状態のときの距離とし、Ｐ、Ｑ同士が接近した位置とは、ＰあるいはＱのそれぞれの見易い視野角内に他の視聴者の画面（ア）又は（イ）が入り込んで、それぞれの見易い視野角の範囲が重なっている状態のときの距離とし、これらの境界となる距離は、表示パネルサイズや表示画面サイズなどに応じ、予め視聴実験などで決めておくことができる。この予めきめられた距離値は切替距離としてメモリに記憶させ、切替判断に使用することができる。
図３（ｃ）の（１）は、ＰとＱ同士が離れた位置から、Ｐは番組Ａの画面（ア）を視聴し、Ｑは番組Ｂの画面（エ）を視聴している。この状態からＱがＰに接近するように移動すると、Ｐの見易い視野角範囲とＱの見易い視野角範囲とが重なる。しかし、画面（ア）は番組Ａ、画面（エ）は番組Ｂとなり異なる番組の異なる画面であるので、１つの拡大画面とすることができない。従って、このようなときには、図３（ｃ）の（２）に示すように画面（エ）を画面（ア）に並べるように移動させる。
【００３１】
次に、図４に示す二人の視聴者間の距離が離れている場合において、二人の視聴者のいずれかが表示パネル１０９から遠くに移動した場合に表示パネル１０９に表示される画面の表示位置と表示サイズについて説明する。
図４（ａ）の（１）は、ＰとＱの距離が離れた位置で表示パネル１０９からの距離がほぼ同じの場合において、Ｐは番組Ａの画面（ア）を視聴し、Ｑは番組Ａの画面（イ）を視聴している。この状態からＱが表示パネル１０９から遠ざかる方向に移動すると、Ｐの見易い視野角範囲とＱの見易い視野角範囲とが重ならない。つまり、画面（ア）と画面（イ）は同じ番組Ａの画面であるが、１つの画面にするとＰとＱの双方にとって画面が見易くならない。しかもＱが見ている画面（イ）の視野角が狭まり、画面が小さくなって見難くなってしまう。従って、このようなときには、画面（イ）を図４（ａ）の（２）に示すようにＱの位置から見易いサイズの画面（オ）に拡大させる。
図４（ｂ）の（１）は、ＰとＱの距離が近づいた位置で表示パネル１０９からの距離がほぼ同じ場合において、Ｐは番組Ａの画面（ア）を視聴し、Ｑは番組Ａの画面（イ）を視聴している。この状態からＱが表示パネル１０９から遠ざかる方向に移動すると、Ｐの見易い視野角範囲とＱの見易い視野角範囲とが重なる。つまり、画面（ア）と画面（イ）は同じ番組Ａの画面であるので１つの画面にするとＰとＱの双方にとって画面が見易くなる。従って、このようなときには、画面（ア）と画面（イ）を１つにして拡大した図４（ｂ）の（２）に示す番組Ａの画面（カ）をＰとＱの位置に合わせて表示させる。
図４（ｃ）の（１）は、ＰとＱの距離が近づいた位置で表示パネル１０９からの距離がほぼ同じ場合において、Ｐは番組Ａの画面（ア）を視聴し、Ｑは番組Ｂの画面（エ）を視聴している。この状態からＱが表示パネル１０９から遠ざかる方向に移動すると、Ｐの見易い視野角範囲とＱの見易い視野角範囲とが重なる。しかし、画面（ア）は番組Ａ、画面（エ）は番組Ｂとなり異なる番組の異なる画面であるので、１つの拡大された大画面とすることができない。従って、このようなときには、図４（ｃ）の（２）に示すようにＱが視聴し易いサイズの画面（キ）を表示し、この画面（キ）の上にＰが視聴し易いサイズの画面（ア）を重ねて表示させる。
【００３２】
このような実施形態によれば、複数の視聴者が表示パネル１０９からの距離がほぼ同じ場合において、複数の視聴者間の距離に基づいて、視聴者にとって最適となるように表示パネル１０９に表示される画面の表示位置と表示サイズを決定することができる。また、複数の視聴者間の距離が離れている場合において、複数の視聴者と表示パネル１０９との距離に基づいて、視聴者にとって最適となるように表示パネル１０９に表示される画面の表示位置と表示サイズを決定することができる。更に、複数の視聴者間の距離及び複数の視聴者と表示パネル１０９との距離に基づいて、視聴者にとって最適となるように表示パネル１０９に表示される画面の表示位置と表示サイズを決定することができる。
【００３３】
なお、本発明の実施形態では、テレビ受信機１００に視聴者撮影カメラ１１４を内蔵するようにしたが、視聴者撮影カメラ１１４を内蔵するのでなく外付けの視聴者撮影カメラをテレビ受信機１００に接続するようにすることも可能である。また、テレビ受信機１００の表示パネル１０９の画面に、アンテナ１２０から受信するデジタル放送電波の番組を表示するようにしたが、これに限定されない。例えば、通信制御Ｉ／Ｆ部１１１が電話回線やＬＡＮなどから入力する映像データの映像を表示することも可能である。また、テレビ受信機１００の表示パネル１０９に複数の画面が表示されているときには、指定した１つの画面の音声のみ出力し他の画面の音声を消去する、また、例えば指定した１つの画面の音声のみ出力し他の画面の音声を字幕で表示させるようにすることも可能である。また、視聴し易いかの判定については、視野の角度によって判断するようにしたが、この視野の角度については画面の表示サイズに応じて予め決めておくと良い。
【００３４】
以上により、本発明は、視認者同士の距離、及び視認者とテレビ受信機の表示パネルとの距離に応じて画面の表示位置及び表示サイズを制御することで、視聴者の位置及び視聴者が表示パネルから近い位置や離れた位置に混在していても、全ての視聴者にとって最も視聴し易い表示位置と表示サイズで画面を表示パネルに表示できるテレビ受信機、及びテレビ受信機の画面表示方法を提供できる。
【００３５】
以上、具体的な実施形態により本発明を説明したが、上記の実施形態は本発明の例示であり、それらの各構成要素の組み合わせにいろいろな変形例が可能なこと、またそうした変形例も本発明の範囲にあることは当業者に理解されるところである。
【産業上の利用可能性】
【００３６】
本発明は、テレビ受信機に好適であるが、画面を表示する機能を備えるあらゆる機器に適用可能である。
【符号の説明】
【００３７】
１００・・・・・テレビ受信機
１０１・・・・・デジタルチューナ
１０２・・・・・ＴＳ（トランスポートストリーム）デコーダ
１０３・・・・・音声処理部
１０４・・・・・音声出力処理部
１０５・・・・・スピーカー
１０６・・・・・映像処理部
１０７・・・・・ＯＳＤ処理部
１０８・・・・・表示処理部
１０９・・・・・表示パネル
１１０・・・・・リモコン受光部
１１１・・・・・通信制御Ｉ／Ｆ部
１１２・・・・・制御部
１１２ａ・・・・画面表示制御処理部
１１３・・・・・記憶部
１１４・・・・・視聴者撮影カメラ
１１５・・・・・視聴者映像認識部
１１６・・・・・システムバス
１２０・・・・・アンテナ
１３０・・・・・リモートコントローラ
【図１】
2014068193.tif 000003
【図２】
2014068193.tif 000004
【図３】
2014068193.tif 000005
【図４】
2014068193.tif 000006